(57)【要約】【課題】トルシア形高力ボルトの頭部が隠れてしまうような態様であっても、ナットの共回りを抑止しながらナットの一次締めを効率よく実行できるトルシア形高力ボルト一次締め用レンチを提供することを目的とする。【解決手段】トルシア形高力ボルト３を一次締めするレンチ１Ａにおいて、トルシア形高力ボルト３に螺合するナット５を回転させるランナー部７と、ランナー部７に回転力を伝えるハンドル部９と、トルシア形高力ボルト３のピンテール３ｃに取り付けられてピンテール３ｃの回転を規制する押え部１１と、を備える。押え部１１は、ランナー部７に対して相対回転自在であり、押え部１１がランナー部７と共に回転してしまうことはないので、ナット５とトルシア形高力ボルトと３の共回りを抑止でき、ナットの一次締めを効率よく実行できる。【選択図】図４
2010179428.tif 000002
【特許請求の範囲】
【請求項１】
トルシア形高力ボルトを一次締めするレンチにおいて、
前記トルシア形高力ボルトに螺合するナットを回転させるランナー部と、
前記ランナー部に回転力を伝えるハンドル部と、
前記トルシア形高力ボルトのピンテールに取り付けられて前記ピンテールの回転を規制する押え部と、を備え、
前記押え部は、前記ランナー部に対して相対回転自在であることを特徴とするトルシア形高力ボルト一次締め用レンチ。
【請求項２】
前記ランナー部は、前記ナットに外嵌して前記ナットに装着され、
前記押え部は、前記ランナー部に回転自在に取り付けられる回転部と、前記ピンテールに係合して保持する掴み部と、前記回転部と前記掴み部とを連結する腕部と、を有することを特徴とする請求項１記載のトルシア形高力ボルト一次締め用レンチ。
【請求項３】
前記腕部は、前記トルシア形高力ボルトの径方向の外側に突き出すように屈曲した線状部材であると共に、一方の端部が前記回転部に固定され、他方の端部が前記掴み部に固定されていることを特徴とする請求項２記載のトルシア形高力ボルト一次締め用レンチ。
【請求項４】
前記回転部から、前記トルシア形高力ボルトの径方向の外側に突出した回り止め部を更に有することを特徴とする請求項２または３記載のトルシア形高力ボルト一次締め用レンチ。
【発明の詳細な説明】
【技術分野】
【０００１】
本発明は、トルシア形高力ボルトの一次締めに適用されるレンチに関する。
【背景技術】
【０００２】
トルシア形高力ボルトの一次締めには、メガネレンチや一次締め用シャーレンチを用いるのが一般的である。メガネレンチで締め付ける場合は、最初に手である程度ナットを締め付け、その後メガネレンチをナットに噛ませて締め付ける。また、一次締め用のシャーレンチは、手やメガネレンチによってある程度ナットを締め付けたあとで使用する。トルシア形高力ボルトの一次締めでは、ボルトとナットが共回りすることなく締め付けられることが重要であり、そのため、トルシア形高力ボルトの頭部を押えながらナットを締めることが一般的なやり方である。なお、特許文献１には、締め付け側（例えば、ナット）と反対側（例えば、ボルト頭部）にスパナ部を嵌め込んで共回りを防ぐレンチが記載されている。
【先行技術文献】
【特許文献】
【０００３】
【特許文献１】特開平８−２２９８３８号公報
【発明の概要】
【発明が解決しようとする課題】
【０００４】
しかしながら、特許文献１に示されるようなレンチをトルシア形高力ボルトの一次絞め用に適用した場合、ボルト頭部及びナットの両方が露出している場合は有用であるが、どちらかが隠れている場合は使用できない。特に、頭部が隠れている場合は、共回りを防ぐためにナットがある程度締まるまでピンテールを指先で摘んで固定しておかなければならず、手間が掛かり、作業性も悪かった。
【０００５】
本発明は、以上の課題を解決することを目的としており、トルシア形高力ボルトの頭部が隠れてしまうような態様であっても、ナットの共回りを抑止しながらナットの一次締めを効率よく実行できるトルシア形高力ボルト一次締め用レンチを提供することを目的とする。
【課題を解決するための手段】
【０００６】
本発明は、トルシア形高力ボルトを一次締めするレンチにおいて、トルシア形高力ボルトに螺合するナットを回転させるランナー部と、ランナー部に回転力を伝えるハンドル部と、トルシア形高力ボルトのピンテールに取り付けられてピンテールの回転を規制する押え部と、を備え、押え部は、ランナー部に対して相対回転自在であることを特徴とする。
【０００７】
本発明によれば、押え部がトルシア形高力ボルトのピンテールに取り付けられてピンテールの回転を規制する。一方で、ハンドル部がランナー部に回転力を伝え、ランナー部が回転してナットを締め付けるが、押え部は、ランナー部に対して相対回転自在であるため、ランナー部と共に回転してしまうことはなく、その結果として、ナットとトルシア形高力ボルトとの共回りを抑止でき、ナットの一次締めを効率よく実行できる。
【０００８】
さらに、ランナー部は、ナットに外嵌してナットに装着され、押え部は、ランナー部に回転自在に取り付けられる回転部と、ピンテールに係合して保持する掴み部と、回転部と掴み部とを連結する腕部と、を有すると好適である。ナットを締め付けると、ナットは、トルシア形高力ボルトの軸線方向に沿って、ピンテール側から頭部側に向けて移動する。ナットの移動に伴い、ランナー部もナットと一緒に移動させる必要があり、さらに、ランナー部を移動させると押え部の回転部も移動することになる。ここで、上記構成では、腕部を介して回転部と掴み部とが連結されているため、回転部がナットに追従して移動すると、掴み部も一緒になって頭部側に移動することになり、その結果、掴み部がピンテールから脱落し難くなってピンテールを安定して保持できる。
【０００９】
さらに、腕部は、トルシア形高力ボルトの径方向の外側に突き出すように屈曲した線状部材であると共に、一方の端部が回転部に固定され、他方の端部が掴み部に固定されていると好適である。腕部がトルシア形高力ボルトの径方向の外側に突き出すように屈曲した線状部材であるため、腕部を指で摘んだり、また、腕部をトルシア形高力ボルト以外の固定部材に当接させたりすることによって腕部の移動を規制できる。その結果、腕部に固定された掴み部を介してピンテールの回転を規制でき、トルシア形高力ボルトの共回りを確実に抑止することができる。
【００１０】
さらに、回転部から、トルシア形高力ボルトの径方向の外側に突出した回り止め部を更に有すると好適である。回り止め部を指で摘んだり、また、回り止め部をトルシア形高力ボルト以外の固定部材に当接させたりすることによって回転部の回転を規制できる。その結果、回転部、腕部及び掴み部を介してピンテールの回転を規制でき、トルシア形高力ボルトの共回りを確実に抑止することができる。
【発明の効果】
【００１１】
本発明によれば、トルシア形高力ボルトの頭部が隠れてしまうような態様であっても、ナットの共回りを抑止しながらナットの一次締めを効率よく実行できる。
【図面の簡単な説明】
【００１２】
【図１】本発明の第１実施形態に係るトルシア形高力ボルト一次締め用レンチの分解斜視図である。
【図２】本実施形態に係るトルシア形高力ボルト一次締め用レンチの平面図である。
【図３】図２のＩＩＩ−ＩＩＩ線に沿った断面図である。
【図４】本実施形態に係るトルシア形高力ボルト一次締め用レンチによってナットを締め付けている状態を示す図であり、（ａ）は平面図、（ｂ）は側面図である。
【図５】上下の柱を連結するカプラをトルシア形高力ボルトによって取り付けた状態を示す斜視図である。
【図６】トルシア形高力ボルトの側面図である。
【図７】本発明の第２実施形態に係るトルシア形高力ボルト一次締め用レンチを示す図であり、（a）は平面図、（ｂ）は側面図である。
【発明を実施するための形態】
【００１３】
以下、本発明の好適な実施形態について図面を参照しながら説明する。最初に、本実施形態に係るトルシア形高力ボルト一次締め用レンチ（以下、「専用レンチ」という）１Ａを説明する前に、図６を参照してトルシア形高力ボルト３を説明する。トルシア形高力ボルト３は、ナット５が螺合する軸部３ａと球面状の頭部３ｂとを有し、軸部３ａの先端には、ピンテール３ｃが形成されている。トルシア形高力ボルト３は、ナット５の締め付けによって軸部３ａに導入される軸力が所定の値になると、ピンテール３ｃが破断する構成になっている。専用レンチ１Ａは、ピンテール３ｃの破断までには至らない一次絞めのために用いられる。
【００１４】
図１及び図２に示されるように、専用レンチ１Ａは、トルシア形高力ボルト３（図７参照）に螺合するナット５を回転させるランナー部７と、ランナー部７に回転力を伝えるハンドル部９と、トルシア形高力ボルト３のピンテール３ｃに取り付けられてピンテール３ｃの回転を規制する押え部１１と、を備える。
【００１５】
ランナー部７は、ナット５に外嵌して装着される円筒状の本体７ａを備える。本体７ａは、ナット５に嵌め込まれて係合するように内周が多角形状に成形されている。本体７ａの上部には、複数の球体８が収容される周溝７ｂが形成されており、ボールベアリングＢの一部を構成する。さらに、本体７ａの外周で、且つ本体７ａの軸線方向の略中央には、ラチェット機構Ｒの一部を構成する歯車状の突起（以下、「ラック」という）７ｃが設けられている。
【００１６】
ハンドル部９は、ランナー部７に外嵌するリング状のホルダー部９ａを備える。ホルダー部９ａの内周には、出没自在な爪部９ｂと、爪部９ｂをホルダー部９ａの中心側に付勢する弾性部９ｃとが設けられている。爪部９ｂは、ランナー部７のラック７ｃに噛み合うことでラチェット機構Ｒを構成し、ホルダー部９ａがナット５を締結する側（図４の時計回り方向）に回転する場合には、ラック７ｃの歯に噛み合ってランナー部７を回転させ、反対側（図４の反時計回り方向）に回転する場合には、ラック７ｃが爪部９ｂを乗り越えて空回りするように、ホルダー部９ａ内に没入する。
【００１７】
さらに、ハンドル部９は、ホルダー部９ａに固定された棹状の柄部９ｄを備えている。柄部９ｄは、ホルダー部９ａから径方向に突き出しており、作業者は、柄部９ｄを握ってホルダー部９ａを回転させるべく操作を行うことができる。
【００１８】
また、押え部１１は、ランナー部７に取り付けられるリング状の回転部１１ａを備えている。回転部１１ａの内周には、複数の球体８が収容される周溝１１ｂが形成されている。回転部１１ａは、ランナー部７の上部に装着され、複数の球体８の転動によってランナー部７に対してランナー部７の軸芯周りに相対回転自在な構成、すなわち、ランナー部７の本体７ａとの間でボールベアリングＢを構成するようにランナー部７に連結されている。なお、回転部１１ａがランナー部７に対して相対回転自在に連結された形態はボールベアリングＢに限定されず、例えば、回転部１１ａの外周に鍔状の突起を設け、ランナー部７の本体７ａには、この突起に嵌合する溝を周方向に形成した凹凸嵌合形態でもよく、また逆に、回転部１１ａの外周に溝を設け、ランナー部７の本体７ａに突起を設けるようにした凹凸嵌合形態でもよい。
【００１９】
さらに、押え部１１は、トルシア形高力ボルト３のピンテール３ｃに取り付けられるリング状の掴み部１１ｃを有する。掴み部１１ｃの内周は、ピンテール３ｃに嵌め込まれて係合するように多角形状に成形されており、ピンテール３ｃに係合することでピンテール３ｃを保持する。
【００２０】
回転部１１ａと掴み部１１ｃとは、トルシア形高力ボルト３の軸線Ｌが中心線となるように同心状に配置され、腕部１１ｄによって固定的に連結されている。腕部１１ｄは、Ｌ字状に屈曲した線状部材であり、屈曲点である角部１１ｅは、掴み部１１ｃに対してトルシア形高力ボルト３の径方向Ｄの外側に突き出すように配置されている。腕部１１ｄについて、更に詳しく説明すると、腕部１１ｄは、角部１１ｅで連結する一方側と他方側とを有し、一方側は、掴み部１１ｃの中心線（トルシア形高力ボルト３の軸線Ｌ）に直交する方向に延在し、その先端は掴み部１１ｃに溶接（固定）されている。また、腕部１１ｄの他方側は、トルシア形高力ボルト３の軸線Ｌに沿った方向に延在し、その先端は回転部１１ａに溶接（固定）されている。
【００２１】
次に、図４及び図５を参照して専用レンチ１Ａを用いたトルシア形高力ボルト３の一次絞めについて説明する。例えば、図５に示されるように、上下の鉄骨柱１５，１５同士を接合する場合、一方の鉄骨柱１５の端部に固定されたカプラ（「接合ピース」ともいう）１７を、他方の鉄骨柱１５の端部に固定されたカプラ１７に組み付け、両カプラ１７，１７同士をトルシア形高力ボルト３で締結固定する場合がある。この種の接続形態の場合、トルシア形高力ボルト３の頭部３ｂ（図６参照）はカプラ１７内に隠れてしまうため、頭部３ｂを抑えて共回りを防止することは困難である。一方で、専用レンチ１Ａを用いれば、頭部３ｂを抑えることなく共回りを防止できるため、簡単に一次締めを行うことができる。
【００２２】
専用レンチ１Ａを用いる場合、まず、トルシア形高力ボルト３のピンテール３ｃ側からランナー部７の本体７ａを差し込んで、ナット５に装着し、同時に、押え部１１の掴み部１１ｃをピンテール３ｃに被せるように装着する。次に、押え部１１の腕部１１ｄを指で軽く押えるか、または、腕部１１ｄをカプラ１７などの固定部材に当接させ、ハンドル部９の柄部９ｄを時計回り方向に回転させてホルダー部９ａを時計回り方向に回転させる。ホルダー部９ａが時計回り方向に回転する際、爪部９ｂはランナー部７のラック７ｃに噛み合って回転力を伝えるため、ナット５を絞め付けることができる。
【００２３】
なお、ホルダー部９ａとランナー部７とはラチェット機構Ｒを介して接続されているため、柄部９ｄを反時計回り方向に回転させてもホルダー部９ａからランナー部７には回転力は伝わらず、ナット５を緩めることはない。その結果として、柄部９ｄを時計回り方向と反時計回り方向とに交互に回転させる操作を繰り返し行うことができ、間欠的にナット５を絞め続けることができ、操作性が向上する。
【００２４】
押え部１１は、ボールベアリングＢを介してランナー部７に相対回転自在に結合されているため、ランナー部７がナット５を絞めるために回転しても、押え部１１の掴み部１１ｃはピンテール３ｃを保持したまま回転せず、ピンテール３ｃの回転を規制する。その結果としてトルシア形高力ボルト３の共回りを防止しながら、ナット５の一次締めを効率よく実行できる。
【００２５】
以上、専用レンチ１Ａによれば、押え部１１がトルシア形高力ボルト３のピンテール３ｃに取り付けられてピンテール３ｃの回転を規制する。一方で、ハンドル部９がランナー部７に回転力を伝え、ランナー部７が回転してナット５を締め付けるが、押え部１１は、ランナー部７に対して相対回転自在であるため、押え部１１がランナー部７と共に回転してしまうことはない。その結果として、ナット５から僅かに突き出しているピンテール３ｃをわざわざ指で摘んで保持しなくてもナット５とトルシア形高力ボルト３との共回りを抑止でき、ナット５の一次締めを効率よく実行できる。
【００２６】
さらに、専用レンチ１Ａによるナット５の締め付けに伴って、ナット５は、トルシア形高力ボルト３の軸線Ｌ方向に沿ってピンテール３ｃ側から頭部３ｂ側に向けて進行（移動）する。ナット５を継続的に締め付けるためには、ナット５の進行に合わせて、ランナー部７を移動させる必要がある。ランナー部７には、押え部１１の回転部１１ａが結合されており、さらに、回転部１１ａには、腕部１１ｄを介して掴み部１１ｃが固定的に連結されているため、掴み部１１ｃは、回転部１１ａと一緒になり、ナット５の移動に追従して頭部３ｂ側に向けて移動する。その結果として、掴み部１１ｃがピンテール３ｃから脱落し難くなってピンテール３ｃを安定して保持できる。
【００２７】
さらに、腕部１１ｄは、トルシア形高力ボルト３の径方向Ｄの外側に突き出すように屈曲した線状部材であるため、腕部１１ｄを指で摘んだり、また、腕部１１ｄをカプラ１７の一部などのトルシア形高力ボルト３以外の固定部材に当接させたりすることによって腕部１１ｄの移動を規制できる。その結果、腕部１１ｄに固定された掴み部１１ｃを介してピンテール３ｃの回転を規制でき、トルシア形高力ボルト３の共回りを確実に抑止することができる。
（第２実施形態）
【００２８】
次に、図７を参照して第２実施形態に係るトルシア形高力ボルト一次締め用レンチ（以下、「専用レンチ」という）１Ｂについて説明する。なお、第２実施形態に係る専用レンチは、第１実施形態に係る専用レンチ１Ａの一部に改良を加えたものであるため、第１実施形態に係る専用レンチ１Ａとの相違点を中心に説明し、同一の要素や部材については、同一の符号を付して詳細説明を省略する。
【００２９】
図７に示されるように、専用レンチ１Ｂは、トルシア形高力ボルト３（図７参照）に螺合するナット５を回転させるランナー部７と、ランナー部７に回転力を伝えるハンドル部９と、トルシア形高力ボルト３のピンテール３ｃに取り付けられてピンテール３ｃの回転を規制する押え部１１と、を備える。
【００３０】
押え部１１は、ランナー部７に相対回転自在に取り付けられるリング状の回転部１１ａと、ピンテール３ｃに嵌め込まれるように係合してピンテール３ｃを保持するリング状の掴み部１１ｃとを有し、回転部１１ａと掴み部１１ｃとは、同心状に配置されて腕部１１ｄによって固定的に連結されている。
【００３１】
専用レンチ１Ｂは、第１実施形態に係る専用レンチ１Ａとは異なり、回転部１１ａの外周に回り止め部１９が設けられている。回り止め部１９は、トルシア形高力ボルト３の径方向Ｄの外側に突出したロッドであり、回り止め部１９を指で摘んだり、また、回り止め部１９をトルシア形高力ボルト３以外の固定部材（例えば、カプラ１７の一部）に当接させたりすることによって回転部１１ａの回転を規制できる。その結果、回転部１１ａ、腕部１１ｄ及び掴み部１１ｃを介してピンテール３ｃの回転を規制でき、トルシア形高力ボルト３の共回りを確実に抑止することができる。
なお、本実施形態においては、回り止め部１９を回転部１１ａの径外方向に突設させた状態で回転部１１ａに設けているが、腕部１１ｄの他方側に回転部１１ａの径外方向に突設させた状態で設けることも可能である。
【００３２】
専用レンチ１Ｂによれば、ナット５とトルシア形高力ボルト３との共回りを抑止でき、ナット５の一次締めを効率よく実行できる。
【００３３】
以上、本発明をその実施形態に基づき具体的に説明したが、本発明は、上記実施形態に限定されるものではない。例えば、ピンテールを保持する掴み部は、ピンテールに嵌り込むようにピンテールに係合する形態に限定されず、例えば、ピンテールを両側面から挟み付けるような態様にてピンテールに係合して保持する形態でもよい。さらに、ピンテールを挟持して保持する形態の場合、掴み部がナットの進行に追従しないように、腕部が、トルシア形高力ボルトの軸線方向（ナットの進行方向）に伸縮自在な構成にしてもよい。
【符号の説明】
【００３４】
１Ａ，１Ｂ…トルシア形高力ボルト一次締め用レンチ、３…トルシア形高力ボルト、３ｃ…ピンテール、５…ナット、７…ランナー部、９…ハンドル部、１１…押え部、１１ａ…回転部、１１ｃ…掴み部、１１ｄ…腕部、１９…回り止め部、Ｄ…トルシア形高力ボルトの径方向。
【図１】
2010179428.tif 000003
【図２】
2010179428.tif 000004
【図３】
2010179428.tif 000005
【図４】
2010179428.tif 000006
【図５】
2010179428.tif 000007
【図６】
2010179428.tif 000008
【図７】
2010179428.tif 000009